(57)【要約】【課題】  本発明の目的は、ネットワークに接続可能なデジタルインターフェースを有する電子機器に対して視聴チャンネルの判定を行う情報処理装置を提供することである。【解決手段】  デジタルインターフェースを用いて、表示装置と接続された入力映像機器を判定する入力映像機器判定手段（１３０）と、前記デジタルインターフェースを用いて、前記判定した入力映像機器の選局情報を取得する選局情報取得手段（１４０）と、前記取得した選局情報に基づいて、視聴しているチャンネルを判定するチャンネル判定手段（１１０）とを備えることを特徴とする情報処理装置。【選択図】  図２
2005136908.tif 000002
【特許請求の範囲】
【請求項１】
デジタルインターフェースを用いて、表示装置と接続された入力映像機器を判定する入力映像機器判定手段と、
前記デジタルインターフェースを用いて、前記判定した入力映像機器の選局情報を取得する選局情報取得手段と、
前記取得した選局情報に基づいて、視聴しているチャンネルを判定するチャンネル判定手段と
を備えることを特徴とする情報処理装置。
【請求項２】
デジタルインターフェースを介して接続している接続装置を検出する検出手段と、
前記デジタルインターフェースを用いて、前記検出した接続装置内の複数の入力映像機器のうち、どの入力映像機器が表示装置と接続されているかを判定する入力映像機器判定手段と、
前記デジタルインターフェースを用いて、前記判定した入力映像機器の選局情報を取得する選局情報取得手段と、
前記取得した選局情報に基づいて、視聴しているチャンネルを判定するチャンネル判定手段と
を備えることを特徴とする情報処理装置。
【請求項３】
前記表示装置の電源状態を判定する電源状態判定手段をさらに備え、
前記チャンネル判定手段は、前記電源状態判定手段の結果をも考慮して、視聴しているチャンネルを判定することを特徴とする請求項１又は２記載の情報処理装置。
【請求項４】
前記チャンネル判定手段は、前記取得した選局情報が有効であるか否かを判断することを特徴とする請求項１又は２記載の情報処理装置。
【発明の詳細な説明】
【技術分野】
【０００１】
本発明は、視聴しているチャンネルの判定を行う情報処理装置に関し、特に、デジタルインターフェースを利用した視聴チャンネル判定装置に関する。
【背景技術】
【０００２】
テレビジョン受像機（以下、テレビという）を単体で使用するのが一般的であった場合、視聴率測定のためには、テレビのオン・オフの状態と、テレビ内のチューナーのチャンネル番号とを時刻データと関連付けて採取すれば十分であったが、ビデオテープレコーダー等のＡＶ機器やＡＶテレビ（複数の外部入力端子を有し、外部に接続されたビデオテープレコーダー等のモニターとして使用できるテレビ）の普及に伴い、チャンネル判定に先立って、まずテレビで実際に視聴しているソースを判定する必要が生じてきた。
【０００３】
このため、従来の視聴チャンネル判定装置では、まず、ソースを判定して、次に、装置内部にある各チューナーの映像音声出力を基準データとし、外部入力である視聴チャンネル判定対象のテレビの映像音声出力を被測定データとして、チャンネルスキャンしながら次々と比較することで、基準データと被測定データの一致性から視聴チャンネルを判定している（例えば特許文献１参照）。
【特許文献１】特許第３０３５４０８号公報（第５〜７頁、図１〜３）
【発明の開示】
【発明が解決しようとする課題】
【０００４】
しかし、従来の視聴チャンネル判定装置では、デジタル放送のように多チャンネル化が進むと、判定に要する時間がチャンネル数に比例して膨大になっていく。
【０００５】
本発明の目的は、ネットワークに接続可能なデジタルインターフェースを有する電子機器に対して視聴チャンネルの判定を行う情報処理装置を提供することである。
【課題を解決するための手段】
【０００６】
第１の発明は、デジタルインターフェースを用いて、表示装置と接続された入力映像機器を判定する入力映像機器判定手段と、前記デジタルインターフェースを用いて、前記判定した入力映像機器の選局情報を取得する選局情報取得手段と、前記取得した選局情報に基づいて、視聴しているチャンネルを判定するチャンネル判定手段とを備えることを特徴とする情報処理装置である。
【０００７】
第２の発明は、デジタルインターフェースを介して接続している接続装置を検出する検出手段と、前記デジタルインターフェースを用いて、前記検出した接続装置内の複数の入力映像機器のうち、どの入力映像機器が表示装置と接続されているかを判定する入力映像機器判定手段と、前記デジタルインターフェースを用いて、前記判定した入力映像機器の選局情報を取得する選局情報取得手段と、前記取得した選局情報に基づいて、視聴しているチャンネルを判定するチャンネル判定手段とを備えることを特徴とする情報処理装置である。
【０００８】
第３の発明は、前記表示装置の電源状態を判定する電源状態判定手段をさらに備え、前記チャンネル判定手段は、前記電源状態判定手段の結果をも考慮して、視聴しているチャンネルを判定することを特徴とする第１又は第２の発明記載の情報処理装置である。
【０００９】
第４の発明は、前記チャンネル判定手段は、前記取得した選局情報が有効であるか否かを判断することを特徴とする第１又は第２の発明記載の情報処理装置である。
【発明の効果】
【００１０】
本発明によれば、ネットワークに接続可能なデジタルインターフェースを有する電子機器に対して視聴チャンネルの判定を行う情報処理装置を提供することができる。
【発明を実施するための最良の形態】
【００１１】
以下、本発明の実施の形態について図面を参照しながら説明する。
【００１２】
（第１の実施形態）
図１は、本実施形態に係る視聴チャンネル判定システムの概略ブロック図である。１００は情報処理装置である視聴チャンネル判定装置、２００はデジタルビデオ（以下、ＤＶＨＳという）である。セットトップボックス（以下、ＳＴＢという）３００は、視聴チャンネル判定装置１００及びＤＶＨＳ２００とデジタルインターフェースで接続されている。以下では、デジタルインターフェースの一例としてＩＥＥＥ１３９４の場合について説明する。そして、アナログＴＶ４００とはアナログケーブルで接続されている。
【００１３】
ＳＴＢ３００は、視聴チャンネル判定装置１００と接続しているＩＥＥＥ１３９４インターフェース（以下、１３９４Ｉ／Ｆという）３１０と、ＤＶＨＳ２００と接続している１３９４Ｉ／Ｆ３２０と、アナログＴＶ４００と接続しているアナログビデオ出力端子３３０とを有しており、さらに、地上波放送受信用のチューナー３４０と、ＢＳデジタル放送受信用のチューナー３５０と、これらのチューナー３４０，３５０又はＤＶＨＳ用の１３９４Ｉ／Ｆ３２０の何れかの映像信号を選択して、出力端子３３０へ出力するスイッチ（ＳＷ）３６０を有している。
【００１４】
そして、１３９４Ｉ／Ｆ３１０は、ＳＷ３６０，１３９４Ｉ／Ｆ３２０，地上波チューナー３４０，及びＢＳデジタルチューナー３５０に関する情報を視聴チャンネル判定装置１００へ送っている。
【００１５】
図２は視聴チャンネル判定装置１００の概略ブロック図である。１３９４Ｉ／Ｆ１５０は、ＩＥＥＥ１３９４シリアルバスケーブルでＳＴＢ３００に接続されており、各種の情報を取得する。１３９４Ｉ／Ｆ１５０が接続している装置の種別情報は接続装置検出部１２０で解析され、装置種別が視聴チャンネル判定部１１０に送られる。そして、ＳＴＢのＳＷ３６０が選択した映像入力装置の種別情報は表示入力装置検出部１３０で解析され、入力映像種別が視聴チャンネル判定部１１０に送られる。最後に、映像入力装置の選局情報は選局情報取得部１４０で解析され、選局情報が視聴チャンネル判定部１１０に送られる。
【００１６】
以下では、視聴チャンネル判定装置１００の動作を図３のフローチャートを用いて詳細に説明する。
【００１７】
接続装置検出部１２０は、ＩＥＥＥ１３９４で接続された他機器に対し、装置種別情報の取得を行う（Ｓ１１０）。図１のようなＩＥＥＥ１３９４ネットワーク構成であれば、ＤＶＨＳ２００、ＳＴＢ３００に対して、装置種別情報の取得を行うことができる。この処理では、ＩＥＥＥ１３９４上で規定された情報取得のためのＡＶ／Ｃコマンドプロトコルのうち、ＳＵＢＵＮＩＴ  ＩＮＦＯコマンドなどを用いる。ここでは、１３９４Ｉ／Ｆ３１０から、機器の構成がＳＴＢであるという情報を取得できる。したがって、モニターはアナログＴＶであると判断できる。
【００１８】
取得した結果、装置種別がＳＴＢであると判定された機器に対して（Ｓ１２０のＹｅｓ）、入力映像判定部１３０は、どの入力映像機器からの信号が現在表示出力されているか判定を行う（Ｓ１３０）。この処理は、ＳＴＢ３００内部におけるＳＷ３６０の状態を判定することに相当し、ＩＥＥＥ１３９４上で規定された情報取得のためのＡＶ／Ｃコマンドプロトコルのうち、ＣＯＮＮＥＣＴコマンドなどを用いればよい。
【００１９】
判定した結果、ＳＴＢ３００内蔵のチューナーのいずれかの出力が、現在表示出力されていると判定された場合（Ｓ１４０のＹｅｓ）、選局情報取得部１４０はそのチューナーの現在の選局情報の取得を行う（Ｓ１５０）。本実施形態の場合であれば、ＳＷ３６０が地上波チューナー３４０またはＢＳデジタルチューナー３５０と接続されている場合が相当する。一方、ＳＷ３６０が１３９４Ｉ／Ｆ３１０と接続されている場合は選局情報の取得は行わない（Ｓ１４０のＮｏ）。例えば、ＳＷ３６０がＢＳデジタルチューナー３５０の選局情報（選局情報（２））を取得する。この処理は、ＩＥＥＥ１３９４上で規定された情報取得のためのＡＶ／Ｃコマンドプロトコルのうち、ＯＰＥＮ  ＤＥＳＣＲＩＰＴＯＲ、ＲＥＡＤ  ＤＥＳＣＲＩＰＴＯＲコマンドなどを用いればよい。
【００２０】
次に、視聴チャンネル判定部１１０が、取得した選局情報の解析を行う。選局情報の中には、現在選局されているチャンネル情報に加え、アンテナケーブルがささっていない、または、受信状態が悪い、放送が停止中であるなどの理由により選局情報が無効であるかどうかという情報などが含まれている。
【００２１】
そして、解析した選局情報が有効であった場合（Ｓ１６０のＹｅｓ）、視聴チャンネル判定部１１０は、選局情報に記述されていたチャンネルを現在の視聴チャンネルであると判定する（Ｓ１７０）。なお、テレビ単位の視聴状況を判定するために、未調査の機器は存在するかを確認してもよい（Ｓ１８０）。
【００２２】
本実施形態によれば、デジタル放送のように多チャンネル化が進んでも、調査に要する時間がチャンネル数に比例して膨大にならず、視聴チャンネルの調査を高速に行うことができる。
【００２３】
（第２の実施形態）
本実施形態ではデジタルテレビに適用した場合について図面を参照しながら説明する。なお、第１の実施形態と同じ符号については、第１の実施形態の説明を参照していただきここでは省略する。
【００２４】
図４は、第２の実施形態に係る視聴チャンネル判定システムの概略ブロック図である。１００は視聴チャンネル判定装置、２００はＤＶＨＳである。デジタルテレビ（以下、単にＴＶという）５００は、視聴チャンネル判定装置１００及びＤＶＨＳ２００とデジタルインターフェースで接続されている。以下では、デジタルインターフェースの一例としてＩＥＥＥ１３９４の場合について説明する。
【００２５】
ＴＶ５００は、視聴チャンネル判定装置１００と接続しているＩＥＥＥ１３９４インターフェース（以下、１３９４Ｉ／Ｆという）５１０と、ＤＶＨＳ２００と接続している１３９４Ｉ／Ｆ５２０と、ゲーム機６００と接続しているアナログビデオ入力端子５８０とを有しており、さらに、地上波放送受信用のチューナー５４０と、ＢＳデジタル放送受信用のチューナー５５０と、これらのチューナー５４０，５５０又はＤＶＨＳ用の１３９４Ｉ／Ｆ５２０の何れかの映像信号を選択して、ブラウン管などの表示装置（モニター）５７０へ出力するスイッチ（ＳＷ）５６０を有している。
【００２６】
そして、１３９４Ｉ／Ｆ５１０は、ＳＷ５６０，１３９４Ｉ／Ｆ５２０，地上波チューナー５４０，及びＢＳデジタルチューナー５５０に関する情報を視聴チャンネル判定装置１００へ送っている。
【００２７】
図５は視聴チャンネル判定装置１００の概略ブロック図である。１３９４Ｉ／Ｆ１５０は、ＩＥＥＥ１３９４シリアルバスケーブルでＴＶ５００に接続されており、各種の情報を取得する。１３９４Ｉ／Ｆ１５０が接続している装置の種別情報は接続装置検出部１２０で解析され、装置種別が視聴チャンネル判定部１１０に送られる。そして、ＳＷ５６０が選択した映像入力装置の種別情報は表示入力装置検出部１３０で解析され、入力映像種別が視聴チャンネル判定部１１０に送られる。また、映像入力装置の選局情報は選局情報取得部１４０で解析され、選局情報が視聴チャンネル判定部１１０に送られる。最後に、表示装置５７０の電源状態は表示装置電源状態判定部１６０で解析され、電源状態が視聴チャンネル判定部１１０に送られる。
【００２８】
以下では、視聴チャンネル判定装置１００の動作を図６のフローチャートを用いて詳細に説明する。
【００２９】
接続装置検出部１２０は、ＩＥＥＥ１３９４で接続された他機器に対し、装置種別情報の取得を行う（Ｓ２１０）。図４のようなＩＥＥＥ１３９４ネットワーク構成であれば、ＤＶＨＳ２００、ＴＶ５００に対して、装置種別情報の取得を行うことができる。この処理では、ＩＥＥＥ１３９４上で規定された情報取得のためのＡＶ／Ｃコマンドプロトコルのうち、ＳＵＢＵＮＩＴ  ＩＮＦＯコマンドなどを用いる。ここでは、１３９４Ｉ／Ｆ５１０から、機器の構成がデジタルテレビであるという情報を取得できる。したがって、モニターを備えていると判断できる。
【００３０】
取得した結果、装置種別がＴＶであると判定された機器に対して（Ｓ２２０のＹｅｓ）、入力映像判定部１３０は、どの入力映像信号が現在表示出力されているか判定を行う（Ｓ２３０）。この処理は、ＴＶ５００内部におけるＳＷ５６０の状態を判定することに相当し、ＩＥＥＥ１３９４上で規定された情報取得のためのＡＶ／Ｃコマンドプロトコルのうち、ＣＯＮＮＥＣＴコマンドなどを用いればよい。
【００３１】
判定した結果、ＴＶ５００内蔵のチューナーのいずれかの出力が、現在表示出力されていると判定された場合（Ｓ２４０のＹｅｓ）、選局情報取得部１４０はそのチューナーの現在の選局情報の取得を行う（Ｓ２５０）。本実施形態の場合であれば、ＳＷ５６０が地上波チューナー５４０またはＢＳデジタルチューナー５５０と接続されている場合が相当する。一方、ＳＷ５６０が１３９４Ｉ／Ｆ５２０やアナログビデオ入力端子５８０と接続されている場合は選局情報の取得は行わない（Ｓ２４０のＮｏ）。例えば、ＳＷ５６０がＢＳデジタルチューナー３５０の選局情報（選局情報（２））を取得する。この処理は、ＩＥＥＥ１３９４上で規定された情報取得のためのＡＶ／Ｃコマンドプロトコルのうち、ＯＰＥＮ  ＤＥＳＣＲＩＰＴＯＲ、ＲＥＡＤ  ＤＥＳＣＲＩＰＴＯＲコマンドなどを用いればよい。
【００３２】
次に、視聴チャンネル判定部１１０が、取得した選局情報の解析を行う。選局情報の中には、現在選局されているチャンネル情報に加え、アンテナケーブルがささっていない、または、受信状態が悪い、放送が停止中であるなどの理由により選局情報が無効であるかどうかという情報などが含まれている。
【００３３】
そして、解析した選局情報が有効であった場合（Ｓ２６０のＹｅｓ）、表示装置電源状態判定部１６０は、調査対象のＴＶ５００が持つ表示装置５７０の現在の電源状態の取得を行う（Ｓ２７０）。この処理には、ＩＥＥＥ１３９４上で規定された情報取得のためのＡＶ／Ｃコマンドプロトコルのうち、ＰＯＷＥＲコマンドなどを用いればよい。
【００３４】
取得した結果、表示装置５７０の現在の電源状態がオンであった場合（Ｓ２７０のＹｅｓ）、視聴チャンネル判定部１１０は、選局情報に記述されていたチャンネルを現在の視聴チャンネルであると判定する（Ｓ２９０）。なお、テレビ単位の視聴状況を判定するために、未調査の機器は存在するかを確認してもよい（Ｓ３００）。
【００３５】
本実施形態によれば、デジタル放送のように多チャンネル化が進んでも、調査に要する時間がチャンネル数に比例して膨大にならず、視聴チャンネルの調査を高速に行うことができ、さらに、表示装置のオン・オフも考慮に入れることによって、視聴チャンネルのより精度の高い判定をすることができる。
【００３６】
上述した実施の形態は、本発明の好適な具体例であるから、技術的に好ましい種々の限定が付されているが、本発明の趣旨を逸脱しない範囲であれば、適宜組合わせ及び変更することができることはいうまでもない。例えば、上述した実施形態では、視聴チャンネル判定装置がＡＶ機器から独立した例を説明したが、ＡＶ機器の中に視聴チャンネル判定装置を組み込むようにしてもよい。さらに、デジタルインターフェースとして、ＩＥＥＥ１３９４規格を例に説明したが、他のデジタルインターフェースを適用してもよい。
【図面の簡単な説明】
【００３７】
【図１】第１の実施形態に係る視聴チャンネル判定システムの概略ブロック図。
【図２】第１の実施形態に係る視聴チャンネル判定装置の概略ブロック図。
【図３】第１の実施形態に係る視聴チャンネル判定装置のフローチャート。
【図４】第２の実施形態に係る視聴チャンネル判定システムの概略ブロック図。
【図５】第２の実施形態に係る視聴チャンネル判定装置の概略ブロック図。
【図６】第２の実施形態に係る視聴チャンネル判定装置のフローチャート。
【符号の説明】
【００３８】
１００  視聴チャンネル判定装置
１１０  視聴チャンネル判定部
１２０  接続装置検出部
１３０  表示入力装置検出部
１４０  選局情報取得部
１５０  １３９４Ｉ／Ｆ
１６０  表示装置電源状態判定部
２００  ＤＶＨＳ
３００  ＳＴＢ
３１０、３２０、５１０、５２０  １３９４Ｉ／Ｆ
３３０  アナログビデオ出力端子
３４０、５４０  地上波放送受信用のチューナー
３５０、５５０  ＢＳデジタル放送受信用のチューナー
３６０、５６０  ＳＷ
４００  アナログＴＶ
５００  ＴＶ
５７０  表示装置
５８０  アナログビデオ入力端子
【図１】
2005136908.tif 000003
【図２】
2005136908.tif 000004
【図３】
2005136908.tif 000005
【図４】
2005136908.tif 000006
【図５】
2005136908.tif 000007
【図６】
2005136908.tif 000008